(57)【特許請求の範囲】
【請求項１】
肌当接面側に配される表面シート、非肌当接面側に配される裏面シート、及び該表面シートと裏面シートとの間に介在配置された吸収体を有し、着用者の腹側から股下側に亘る方向を長手方向、該長手方向と直交する方向を幅方向とする男性用失禁パッドであって、
本体部と、前記本体部の前記長手方向の前記股下側の一端辺における幅方向の両側からそれぞれ前記長手方向に延出した一対の延出部を有し、
前記一対の延出部は、前記幅方向で２分する中心線に対して左右対称の形状であり、
前記延出部の内方側辺は、前記本体部から前記長手方向の外方に向かうにつれて、前記幅方向における外方から内方へ傾斜した部分を有する、男性用失禁パッド。
【請求項２】
前記延出部の内方側辺の前記傾斜によって、前記延出部間の幅が狭くなるくびれ部を有し、前記くびれ部が、前記延出部の内方側辺の前記長手方向の端部側にある、請求項１に記載の男性用失禁パッド。
【請求項３】
前記延出部の内方側辺の前記傾斜によって、前記延出部間の幅が狭くなるくびれ部を有し、前記くびれ部が、前記延出部の内方側辺の前記長手方向の中間位置にある、請求項１に記載の男性用失禁パッド。
【請求項４】
前記本体部は、前記吸収体の前記幅方向の中央部に前記長手方向に延びる薄肉部を有する請求項１から３のいずれか１項に記載の男性用失禁パッド。
【請求項５】
前記吸収体は、前記延出部の内方側辺における本体部側の端部から斜め方向外方に向かって、前記本体部に着用者の大腿部前側の付け根にある溝に対応した位置に前記吸収体の薄肉部を有する請求項１から４のいずれか１項に記載の男性用失禁パッド。
【請求項６】
前記延出部の前記長手方向における前記本体部とは反対側の端部に、肌当接面側に撥水シートを有する請求項１から５のいずれか１項に記載の男性用失禁パッド。
【請求項７】
前記撥水シートと前記延出部との間に、前記本体部側に開口を有するポケットを有する請求項６に記載の男性用失禁パッド。
【請求項８】
前記男性用失禁パッドを幅方向で２分する中心線のどちらか一方に、該男性用失禁パッドの装着者の下着の内側に粘着または係合するずれ止め部を有する請求項１から７のいずれか１項に記載の男性用失禁パッド。
【発明の詳細な説明】
【技術分野】
【０００１】
本発明は男性用失禁パッドに関する。
【背景技術】
【０００２】
男性用失禁パッドは、パンツの内側に着用者の股下から腹側に渡して使用される。そのため、男性用失禁パッドはブリーフまたはボクサーパンツなどの身体にぴったりフィットする下着での装着が推奨されている。また、トランクスでの使用を考慮した男性用失禁パッドもある。以下、トランクスとはトランクス型のパンツをいう。
【０００３】
例えば、特許文献１には、シート本体の下部の縦軸方向に沿う切れ込み部を有し、その両側のフラップ片を重なり合わせて、残尿を捕捉するための立体形状の簡易容器を成すものが開示されている。また、トランクスに対しても簡易容器を形成することで、簡易容器内の空間によって下方への残尿の漏れを防止するとされている。
特許文献２には、外側の層を包含する長円形の吸収層にＶ字型の切込みを備え、長円形の上部が半円形にえぐられていて、パッドが体温と下着の形状の影響の下にシェル形の窪みを形成するものが開示されている。シェル形の窪みは陰茎を中央に保つので、外尿道口から漏れ出る尿滴はパッドによって捕捉され、集めることができるとされている。
また、特許文献３には、病気や加齢によって生ずる尿漏れを対象にした男性用軽失禁パッドが開示されている。この男性用軽失禁パッドは、平面ハート形状のパッドの衣服側面に、該パッドを衣服面に着脱可能に取付けるための固定テープを備えたものである。
【０００４】
【特許文献１】特開２０１３−１７２８４５号公報
【特許文献２】特表２００２−５２３１３９号公報
【特許文献３】特開２００３−５２７２９号公報
【発明の概要】
【発明が解決しようとする課題】
【０００５】
ブリーフやボクサーパンツでの使用を推奨している男性用失禁パッドをトランクス型のパンツで使用すると、着用中に失禁パッドがずれて、残尿の尿漏れを生じることがあり、改善の余地があった。
特許文献１、２および３に開示されたシートやパッドでは、トランクスに装着して使用した際に十分に固定しにくい。そのため、大腿部付近に生じる尿の伝い漏れを防止するには、改善の余地があった。
【０００６】
本発明は、トランクスに取り付けて使用してもずれにくく、尿漏れを防止する男性用失禁パッドを提供することに関する。
【課題を解決するための手段】
【０００７】
本発明は、肌当接面側に配される表面シート、非肌当接面側に配される裏面シート、及び該表面シートと裏面シートとの間に介在配置された吸収体を有し、着用者の腹側から股下に亘る方向を長手方向、該長手方向と直交する方向を幅方向とする男性用失禁パッドであって、
本体部と、前記本体部の前記長手方向の一端辺における幅方向の側部側から前記長手方向に延出した延出部を有する男性用失禁パッドを提供する。
【発明の効果】
【０００８】
本発明の男性用失禁パッドは、トランクスに取り付けて使用してもずれにくく、尿漏れを防止するという優れた防漏性を実現できる。
【図面の簡単な説明】
【０００９】
【図１】本発明の男性用失禁パッドの好ましい一実施形態を模式的に示した図面である。（ａ）は男性用失禁パッドの好ましい一実施形態を模式的に示した平面図である。（ｂ）は（ａ）図中のＩ−Ｉ線断面を示した断面図である。なお、（ｂ）の断面図において、見やすくするために、表面シートおよび裏面シートを吸収体から離間した状態に示したが、実際は互いに接触しているものである。以下、図５、図６においても同様である。
【図２】トランクスに男性用失禁パッドを装着した状態を模式的に示した正面図である。
【図３】男性用失禁パッドの好ましい別の一実施形態を模式的に示した平面図である。
【図４】男性用失禁パッドの吸収体に配される薄肉部の好ましい構成の一例を示した図面である。（ａ）は男性用失禁パッドの薄肉部の好ましい一実施形態を模式的に示した平面図である。（ｂ）は（ａ）図中のII−II線断面を示した断面図である。
【図５】男性用失禁パッドのさらに別の一実施形態を模式的に示した図面である。（ａ）は男性用失禁パッドの好ましい一実施形態を模式的に示した平面図である。（ｂ）は（ａ）図中のIII−III線断面を示した拡大断面図である。
【図６】男性用失禁パッドの好ましいポケットの構成の３つの実施形態を示した断面図である。各断面図は図５中のIII−III線断面に相当する位置での断面である。
【図７】男性用失禁パッドのずれ止め部の好ましい一実施形態を模式的に示した平面図である。
【発明を実施するための形態】
【００１０】
本発明に係る男性用失禁パッドの好ましい一実施形態として、男性用失禁パッドについて図１〜３を参照して以下に詳述する。
【００１１】
本発明においては、特に断らない限り、人体に接触する側を肌面側または肌当接面側といい、これと反対側を非肌面側、非肌当接面側または裏面側という。着用時に人体の腹側に位置する方向を前方として説明する。この着用者の腹側から股下に通じる方向を男性用失禁パッドの長手方向（Ｙ方向）という。男性用失禁パッドにおいて長手方向と直交する方向を幅方向（Ｘ方向）という。また、男性用失禁パッドの表面または裏面の法線方向を厚み方向といい、その長さを厚みという。
【００１２】
図１に示すように、本実施形態の男性用失禁パッド１０（１０Ａ）は、着用者の腹側から股下に亘って配される長手方向（Ｙ方向）と該長手方向と直交する幅方向（Ｘ方向）とを有する。
男性用失禁パッド１０は、本体部１１を有する。本体部１１は、例えば、幅方向に横長の台形、長方形、長手方向に縦長の台形、長方形または正方形をなしていて、各角部に丸みが付けられている。本体部１１の長手方向の一端辺における幅方向の側部側から長手方向外方に延出した延出部を有する。この延出部は、本体部１１の長手方向の一端辺の両側からそれぞれ延出して、一対の延出部１２、１３を有することが好ましい。この場合、延出部１２、１３の内方側辺間が本体部１１側に幅Ｗを有する切り欠き部１４となる。切り欠き部１４は、本体部１１側から長手方向外方に向かって幅方向の長さが短くなる部分を有する。言い換えれば、延出部１２、１３の内方側辺は、幅方向における外方から内方へ傾斜した部分を有する。すなわち、延出部１２、１３間に存する切り欠き部１４は、本体部１１側の辺（上底）が長く、切り欠き開口部１４Ｃ側の辺（下底）が短い、角部に丸みを有する等脚台形をなしている。
【００１３】
男性用失禁パッド１０は、トランクス（図示せず）の股下部分に、本体部１１の前記一端辺と延出部の内方側辺とで引っ掛けるようにして装着できる。特に、延出部を一対有することにより切り欠き部１４がある場合には、トランクスの股下部分を切り欠き部１４に挿入して延出部１２、１３で挟むようにして、トランクスの内側前方部に男性用失禁パッド１０を装着できる。このため、男性用失禁パッド１０は、延出部１２、１３でトランクスの股下部を挟み込むとともに、着用者の下腹部とトランクスの前方部との間に挟まれて、トランクスの内側前方部に固定されるように装着される。上記トランクスの内側前方部とは、トランクスを着用したときに着用者の下腹部が対向する領域をいう。
また、トランクスの内側に男性用失禁パッド１０を装着した際に、延出部がトランクスの足回り開口部から着用者の大腿部に沿って配される。これによって、着用者の大腿部と延出部とのフィット性が高められ、大腿部への尿の伝い漏れをより防ぐことができる。
【００１４】
男性用失禁パッド１０は、厚み方向に、表面シート１、裏面シート２、および両シートの間に介在配置された吸収体３を備える。表面シート１は、液透過性を有し、肌当接面側に配される。裏面シート２は、液不透過性または液難透過性を有し、非肌当接面側に配される。吸収体３は液保持性を有する。
男性用失禁パッド１０は、液透過性を有する表面シート１により尿がスムーズに吸収体３に移行するので肌当接面側となる表面シート１側の肌触りが良好になる。また液保持性を有する吸収体３により十分な尿の吸収量が確保される。さらに液難透過性を有する裏面シート２により裏面側からの尿漏れが防止される。
【００１５】
本体部１１、延出部１２、１３の角部には、丸みが付けられていることが好ましい。また、切り欠き部１４の角部も丸みを有することが好ましい。具体的には、本実施形態の場合は、本体部１１の２箇所の角部１１Ｒおよび延出部１２、１３のそれぞれ２箇所の角部１２Ｒ、１３Ｒに丸みがなされている。また切り欠き部１４の２箇所の角部１４Ｒに丸みがつけられている。このように、角部が丸みにされていることから、肌当たりが良くなり、角部に引っ掛かることなく着用者が動きやすくなる。
【００１６】
図２に示すように、上記男性用失禁パッド１０はトランクス１００の股下部１００Ｃを切り欠き部１４で挟み込むようにしてトランクス１００内の前方側に装着される。また、延出部１２、１３は、トランクスの足開口部１１１、１１２の前方側に配される。ここでいう前方側とは、着用者（図示せず）がトランクス１００を着用したとき、着用者から見たときの前側を意味する。
【００１７】
次に、切り欠き部１４のより好ましい形状例について、以下に説明する。
図３に示すように、切り欠き部１４は、長手方向の中間に、延出部材１２、１３間の幅方向の長さ（幅）が狭くなるくびれ部１５を有することが好ましい。言い換えれば、くびれ部１５の両側の延出部１２、１３は、幅方向において切り欠き部１４側に突出している突出部１６、１７を有することが好ましい。図面上、延出部材１２、１３は２点鎖線で示した部分よりも下方の部分をいう。また、本体部１１は、台形の脚が丸みを帯びた等脚台形を成している。図面上、本体部１１は２点鎖線で示した部分よりも上方の部分をいう。
くびれ部１５を有することで、トランクス（図示せず）に男性用失禁パッド１０（１０Ｂ）を装着した際に、トランクスの股下部分に切り欠き部１４を挿入し、該股下部分を延出部１２、１３で挟むようにして、くびれ部１５で留まるようになる。これによって、男性用失禁パッド１０がトランクスの股下部から外れにくくなる。これは、パンの包装袋の一端側を絞り留める樹脂製の留め具（バッグ・クロージャーまたはブレッド・クリップともいう。）と同様の原理である。このため、男性用失禁パッド１０はトランクスの内側前方部に固定されるように装着され、延出部１２、１３が大腿部にフィットしやすくなる。
【００１８】
上記くびれ部１５よりも本体部１１側における幅方向の長さが最も広い部分を股下幅Ａとする。またくびれ部１５の幅方向の長さが最も短い部分を中間幅Ｂとする。さらに切り欠き部１４の切り欠き開口部１４Ｃの幅を開口幅Ｃとする。股下幅Ａは、トランクスの股布（クロッチまたはシック部）の幅によって規定される。股下幅Ａはトランクスの股幅も含むため、股下部に幅を有するトランクスにも適用できる。
【００１９】
上記股下幅Ａ＞開口幅Ｃ＞中間幅Ｂであることが好ましい。このように、中間幅Ｂよりも開口幅Ｃのほうが広くなっていることから、トランクスの股下部を切り欠き部１４の股下側に挿入しやすくなる。また、股下幅Ａよりも中間幅Ｂのほうが狭くなっていることから、切り欠き部１４の股下側に挿入したトランクスの股下部が切り欠き部１４より外れにくくなる。
通常のＭサイズまたはＬサイズのトランクスに装着される男性用失禁パッド１０の場合の股下幅Ａおよび中間幅Ｂは以下のようになる。
上記股下幅Ａは、トランクスの股下部を挟み込むという観点から、２ｃｍ以上であり、好ましくは３ｃｍ以上であり、さらに好ましくは４ｃｍ以上である。そして装着中のずれや違和感を低減させるという観点から、１４ｃｍ以下であり、好ましくは１２ｃｍ以下であり、さらに好ましくは１０ｃｍ以下である。
また、中間部Ｂは、トランクスの股下部を挟み入れるという観点から、１ｃｍ以上であり、好ましくは１．５ｃｍ以上であり、さらに好ましくは２ｃｍ以上である。そしてトランクスの股下部が中間部Ｂから外れないようにするという観点から、１０ｃｍ以下であり、好ましくは９ｃｍ以下であり、さらに好ましくは８ｃｍ以下である。
開口幅Ｃは、トランクスの股下部を挟み入れやすく、装着時の違和感を防止する観点から、２ｃｍ以上であり、好ましくは３ｃｍ以上であり、さらに好ましくは４ｃｍ以上である。そして、装着中の隙間からのモレを防止する観点から１４ｃｍ以下が好ましく、１２ｃｍ以下がさらに好ましい。
【００２０】
または、開口幅Ｃ＞股下幅Ａ＞中間幅Ｂであってもよい。この場合は、上記利点に加え、開口幅Ｃが広くなるので、延出部１２、１３の先端部がトランクスの大腿部を通す開口部から見えにくくなるという利点がある。
【００２１】
図４に示すように、本体部１１の吸収体３の幅方向中央部に長手方向に延びる薄肉部２１を有することが好ましい。薄肉部２１は、吸収体３の非肌当接面側に溝状の凹部２２が配されてなることが好ましい。言い換えれば、凹部２２は肌当接面側に向かって開口するように配されてなることが好ましい。
上記薄肉部２１を有することから、陰茎の盛り上がりに対応して薄肉部２１を起点にして、男性用失禁パッド１０が陰茎に対応した部分が盛り上がるように折れやすくなる。このため、男性用失禁パッド１０が着用者とトランクスとにフィットしやすくなるので違和感なく装着できる。
【００２２】
また吸収体３は、着用者の左右の大腿部前側の付け根にある溝に対応した本体部１１の位置に、吸収体３の薄肉部２３、２４を有する。薄肉部２３、２４は、非肌当接面側に溝状の凹部２５、２６が配されてなることが好ましい。すなわち、薄肉部２３、２４は、切り欠き部１４の本体部１１側の両端部から斜め方向の本体部１１側の外方に向かって配されている。言い換えれば、延出部１２、１３の内方側辺における本体部１１側の端部から斜め方向外方に向かって配されている。この薄肉部２３、２４を起点にして、男性用失禁パッド１０が折れやすくなる。このため、大腿部を動かしても男性用失禁パッド１０が着用者とトランクスとにフィットしやすくなる。よって、トランクスに男性用失禁パッド１０を装着しても違和感なく歩行などの動作をすることができる。
【００２３】
図５に示すように、男性用失禁パッド１０（１０Ｃ）には、延出部１２、１３の肌当接面側における長手方向端部に、それぞれ裏面シート２（図１参照）とは別の撥水シート３１、３２が配されていることが好ましい。また、延出部１２、１３のそれぞれの先端辺およびその先端辺に繋がる側部辺の一部に接着剤３３、３４が切れ目なく配され、それぞれ撥水シート３１、３２が接着されている。実際には、延出部１２、１３のそれぞれの表面シート１と撥水シート３１、３２とが接着されている。この接着剤には、例えばホットメルト接着剤が挙げられる。これによって、延出部１２と撥水シート３１、および延出部１３と撥水シート３２とによって本体部１１側にポケット開口部３５ａ、３６ａを有するポケット３５、３６を成す。または上記接着剤の代わりに、超音波振動による超音波シールとしてもよい。
上記男性用失禁パッド１０Ｃは、延出部１２、１３の表面を漏れ伝わってきた尿をポケット３５、３６により受け止めて堰き止め、大腿部の下方に漏れ伝わるのを防止することができる。その際、ポケット３５、３６内に堰き止められた尿は、撥水シート３１、３２側から染みだすことなく、延出部１２、１３側に表面シート１を通して吸収体３に吸収される。そのため、堰き止められた尿により肌面が濡れることが防止される。
【００２４】
または、上記の撥水シート３１、３２の代わりに、裏面シート２（図１参照）を延長して用いることも好ましい。図６（ａ）に示すように、一つの延出部１２に着目する。男性用失禁パッド１０（１０Ｄ）は、延出部１２の裏面シート２が延長されていて、延出部１２の端部を包み込むように肌当接面側に折り返されている。その折り返された部分の裏面シート２を撥水シート３１として用いる。折り返した裏面シート２と、それに対向する表面シート１とは、本体部１１側を除く対向面の周囲が接着されている。このように、延出部１２の端部の肌当接面側には、本体部１１側にポケット開口部３７ａを有するポケット３７が配されている。
上記男性用失禁パッド１０Ｄは、前述した上記男性用失禁パッド１０Ｃと同様の作用によって大腿部の下方に漏れ伝わるのを防止することができる。その際、ポケット３７、３８内に堰き止められた尿は、ポケット３７、３８内の表面シート１に吸収され、ポケット３７、３８からの尿漏れが防止できる。よって、堰き止められた尿により肌面が濡れることがより防止される。
【００２５】
または、図６（ｂ）に示すように、上記撥水シート３１、３２の代わりに、裏面シート２および表面シート１（図１参照）を延長して用いることも好ましい。一つの延出部１２に着目する。延出部１２の表面シート１と裏面シート２とを延長して肌当接面側に折り返し、折り返した部分の裏面シート２を撥水シート３１として用いる。折り返した表面シート１および裏面シート２と、それらに対向している部分の表面シート１とによって、延出部１２の端部の肌当接面側にポケット３９が配されている。ポケット３９は、本体部１１側にポケット開口部３９ａを有し、ポケット開口部３９ａを除くポケット３９周囲の折り返した裏面シート２と折り返していない表面シート１とを接着してなる。したがって、このポケット３９の内部には、折り返した表面シート１が入っている。これにより、ポケット３９内に入ってきた液が、非肌当接面側から吸収体３に吸収されるだけではなく、肌当接面側に位置する表面シート１から毛管現象によって非肌当接面側に導かれ、速やかに吸収される。
【００２６】
さらに、図６（ｃ）に示すように、表面シート１と裏面シート２とを一緒に折り返した先端辺側の表面シート１と裏面シート２との間には、ギャザーを生成するギャザー弾性体４１を配してもよい。その際、ギャザー弾性体４１は、伸長状態で固定されている。したがって、ギャザー弾性体４１の収縮によって、折り返しにギャザー（図示せず）が生じ、肌当たりが柔らかくなる。それとともに、ポケット３９およびポケット４０（図示せず）が肌面側に立ち上がり易くなるので、大腿部へのフィット性が向上する。これにより、尿が大腿部の下方に漏れ伝わるのを確実に防止することができる。なお、ギャザー弾性体４１は、糸ゴムもしくはウレタンゴム等で構成されることが好ましい。
上記いずれの男性用失禁パッド１０における接着には、例えばホットメルト接着剤を用いる。また上記接着剤による接着の代わりに、超音波シールにしてもよい。
【００２７】
またさらに、裏面シート２の外側に肌触りを良くするための不織布を配してもよい。例えば、裏面シート２の外側になる面に上記の不織布を貼り合わせることが好ましい。
不織布を配したことにより、肌触りが良くなるとともに、肌と接触する部分の通気性が確保され、肌のかぶれ等が防止される。
【００２８】
図７に示すように、男性用失禁パッド１０（１０Ｅ）を幅方向で２分する中心線ＣＬのどちらか一方に、着用者のトランクスの内側に係合するずれ止め部５１を有することが好ましい。特に、ずれ止め部５１は着脱可能であることが好ましい。ずれ止め部５１は、男性用失禁パッド１０の非肌当接面側にあり、かつ男性用失禁パッド１０を着用した際に、着用者の身体右側になるように配されることが好ましい。言い換えれば、ずれ止め部５１が配された面側から男性用失禁パッド１０を平面視して見た場合には、図示したように、ずれ止め部５１が男性用失禁パッド１０の非肌当接面側の左側に配されることが好ましい。一般的なトランクスにおける開口部は、着用者の左側の布地が右側に重なる形状になっているため、このように配置することでトランクスとパッドの形状的な相性が良くなる。ずれ止め部５１は、着脱自在な粘着剤であることが好ましい。またはずれ止め部５１は、トランクスの素材がフック材（オス面）を有する面ファスナーに係合する素材であれば、面ファスナーであってもよい。
上記にようにずれ止め部５１が配されることにより、排尿時にトランクス内から陰茎を取り出す際に、その都度、男性用失禁パッド１０を外す必要がない。陰茎を取り出す際には、ずれ止め部５１が配されていない側の男性用失禁パッド１０をよければよい。その際、男性用失禁パッド１０がトランクスの貼り付け位置からずれることがないため、排尿時ごとに男性用失禁パッド１０を装着しなおす必要がなく、快適な装着感が持続される。
【００２９】
ずれ止め部５１は、長手方向に複数行にわたって配されていることが好ましい。各行のずれ止め部５１は、幅方向に線状に配されるものであっても点状に配されるものであってよい。
このように、ずれ止め部５１が長手方向に複数行にわたって配されることから、トランクスに貼りつけた男性用失禁パッド１０が剥がし易くなる。
また、上記ずれ止め部５１が本体部１１の延出部１２、１３が配されている側とは反対側の端部に、かつ幅方向に配されていても良い。この場合には、排尿時にトランクス内から陰茎を取り出す際に、その都度、男性用失禁パッド１０を外す必要がない。また陰茎を取り出す際に男性用失禁パッド１０をよける場合に、よけ易い。しかも、男性用失禁パッド１０がトランクスに対してずれることはない。
さらにずれ止め部５１が男性用失禁パッド１０の全面に配されていてもよい。
【００３０】
男性用失禁パッド１０に用いられる各構成部材の形成材料としては、この種の物品に採用されるものを特に制限なく用いることができる。
例えば、表面シート１は、排泄された体液を速やかに吸収し、吸収体に伝達する観点と肌触りのよさの観点とから親水性のサーマルボンド不織布が好ましく、特にエアスルー不織布、ポイントボンド不織布が好ましい。表面シート１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
さらに、尿の吸収量が少ない場合には、表面シート１に綿布を用いることもできる。綿布を用いることで、肌触りが一層良くなり、快適な装着感が得られる。
【００３１】
裏面シート２としては、非肌当接面側で液漏れを防ぐ観点から、液難透過性の素材からなることが好ましい。また、ムレ防止の観点から透湿性を有することが好ましい。前記液難透過性とは、液を透過させにくい性質を意味し、防水性、撥水性及び液不透過性を含む。具体的には、疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン等が挙げられ、これらを単独で又は混合して用いることができる。また、このパッドをインナーとして、おむつをアウターとして用いる場合などには、裏面シートも表面シートと同様の液透過性シートとしても良い。
【００３２】
吸収体３としては、尿等の排泄物を吸収できるものと特に制限なく採用することができる。例えば、親水性繊維の積繊体又は該親水性繊維と高吸水性ポリマーとの混合物の積繊体を、親水性のコアラップシート（図示せず）で被覆したものなどが挙げられる。
親水性繊維としては、例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートまたはレーヨンなどを用いることができる。合成繊維からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することでみかけの繊維の占有する長さが短くなるものであってもよい。
高吸水性ポリマーとしては、この種の物品に通常使用されている各種のポリマー材料を用いることができる。高吸水性ポリマーは、自重の２０倍以上の水又は生理食塩水を吸収し保持し得る性能を有するような超吸収性高分子化合物であることが好ましい。
さらに吸収体３としては、吸収する尿の量が少ない場合には、ポリマーシートを用いることもできる。ポリマーシートを用いることにより、吸収体３の厚みをさらに薄くすることができる。
【００３３】
コアラップシートとしては、例えば、親水性のティッシュペーパー等の薄手の紙（薄葉紙）、クレープ紙、コットンやレーヨンなどの親水性繊維からなる不織布、合成樹脂の繊維に親水化処理を施してなる不織布、例えばエアスルー不織布、ポイントボンド不織布、スパンレース不織布、スパンボンド不織布、スパンボンド−メルトブローン−スパンボンド（ＳＭＳ）不織布等からなるものを用いることができる。
なお、吸収体３が複数層からなる場合、各層の積繊体ごとに別々のコアラップシートで被覆してもよく、全ての層を積層させて１枚のコアラップシートで被覆してもよい。
【００３４】
本発明の男性用失禁パッド１０は、上記のトランクス以外のパンツ、例えばブリーフおよびボクサーブリーフ、アウターとして用いるおむつ等にも着用することができ、同等の作用効果を得ることができる。なお、男性用失禁パッド１０の構成部材として他にも用途や機能に合わせ適宜部材を組み込んでもよい。
【符号の説明】
【００３５】
１  表面シート
２  裏面シート
３  吸収体
１０，１０Ａ，１０Ｂ，１０Ｃ，１０Ｄ，１０Ｅ  男性用失禁パッド
１１  本体部
１２，１３  延出部
１４  切り欠き部
１１Ｒ，１２Ｒ，１３Ｒ，１４Ｒ  角部
１４Ｃ  切り欠き開口部
１５  くびれ部
１６，１７  突出部
２１，２３，２４  薄肉部
２２，２５，２６  凹部
３１，３２  撥水シート
３３，３４  接着剤
３５，３６，３７，３８，３９，４０  ポケット
３５ａ，３６ａ，３７ａ，３８ａ，３９ａ，４０ａ  ポケット開口部
４１  ギャザー弾性体
５１  ずれ止め部
Ａ  股下幅
Ｂ  中間幅
Ｃ  開口幅
ＣＬ  中心線
【図１】
0006713788.tif 000002
【図２】
0006713788.tif 000003
【図３】
0006713788.tif 000004
【図４】
0006713788.tif 000005
【図５】
0006713788.tif 000006
【図６】
0006713788.tif 000007
【図７】
0006713788.tif 000008